(57)【要約】【課題】記憶性表示装置に用いるに適した文字等の書き込み方法を提供する。【解決手段】表示装置には、下地画像を表す下地画像データがあらかじめ記憶されており、使用者が手書きで文字等を書き込む場合には、この下地画像を表示する。表示装置は、使用者による表示領域の指示を検知し、指示位置の軌跡を表す軌跡データを生成する。軌跡データは、軌跡の始点から終点までを単位とするデータである。表示装置は、１又は複数の軌跡データが生成されると、表示を書き換える。【選択図】図７
2010191312.tif 000002
【特許請求の範囲】
【請求項１】
記憶性表示体により画像を表示する表示領域を有する表示部と、
あらかじめ決められた下地画像を表す画像データを記憶する記憶部と、
前記表示領域のうちの指示された位置を検知する検知部と、
前記検知部により検知された位置の軌跡を表す軌跡データであって、当該検知の開始か
ら終了までを単位とする軌跡データを生成し、生成した前記軌跡データを前記画像データ
と関連付けて前記記憶部に記憶させるデータ生成部と、
前記表示部に画像を表示させる制御を行う表示制御部とを備え、
前記表示制御部が、
前記下地画像と前記記憶部に記憶された軌跡データが表す軌跡とを重ねて表示させる
ことを特徴とする表示装置。
【請求項２】
前記表示制御部が、前記記憶部に記憶された軌跡データが表す軌跡の表示を前記軌跡デ
ータ単位で制御することを特徴とする請求項１に記載の表示装置。
【請求項３】
前記データ生成部が、前記軌跡データをあらかじめ決められた基準に基づいたグループ
に分類して前記記憶部に記憶させ、
前記表示制御部が、前記記憶部に記憶された軌跡データが表す軌跡の表示を前記グルー
プ単位で制御する
ことを特徴とする請求項１に記載の表示装置。
【請求項４】
前記表示制御部が、前記データ生成部により生成された軌跡データが所定の数又は所定
のデータ量に達する毎に前記表示部による表示を書き換えることを特徴とする請求項１な
いし３のいずれかに記載の表示装置。
【請求項５】
コンピューターに、
あらかじめ決められた下地画像を表す画像データを記憶部から読み出して、前記下地画
像を表示部に表示させる第１の機能と、
前記表示部の前記下地画像が表示される領域のうちの検知部により指示が検知された位
置を特定する第２の機能と、
前記第２の機能により特定された位置の軌跡を表す軌跡データであって、前記検知の開
始から終了までを単位とする軌跡データを生成し、生成した前記軌跡データを前記画像デ
ータと関連付けて前記記憶部に記憶させる第３の機能と、
前記下地画像と前記記憶部に記憶された軌跡データが表す軌跡とを重ねて表示させる第
４の機能と
を実現させるためのプログラム。
【発明の詳細な説明】
【技術分野】
【０００１】
本発明は、記憶性表示体による表示に関する。
【背景技術】
【０００２】
記憶性表示体を用いた表示装置（以下、「記憶性表示装置」という。）は、その記憶性
、すなわち電圧が印加されなくても表示した階調を維持しようとする性質を利用し、携帯
しながらの文書の閲覧などに用いられることが多い。また、記憶性表示装置において、表
示された文書に画像を追記をする技術が知られている（例えば、特許文献１参照）。
【先行技術文献】
【特許文献】
【０００３】
【特許文献１】特開平１１−７３１３５号公報
【発明の概要】
【発明が解決しようとする課題】
【０００４】
ところで、記憶性表示装置を、白紙のメモ帳のように文字等を自由に書き込めるように
できると、便利である。
そこで、本発明は、記憶性表示装置に用いるに適した文字等の書き込み方法を提供する
ことを目的とする。
【課題を解決するための手段】
【０００５】
本発明に係る表示装置は、記憶性表示体により画像を表示する表示領域を有する表示部
と、あらかじめ決められた下地画像を表す画像データを記憶する記憶部と、前記表示領域
のうちの指示された位置を検知する検知部と、前記検知部により検知された位置の軌跡を
表す軌跡データであって、当該検知の開始から終了までを単位とする軌跡データを生成し
、生成した前記軌跡データを前記画像データと関連付けて前記記憶部に記憶させるデータ
生成部と、前記表示部に画像を表示させる制御を行う表示制御部とを備え、前記表示制御
部が、前記下地画像と前記記憶部に記憶された軌跡データが表す軌跡とを重ねて表示させ
る構成を有する。
この構成によれば、軌跡データの単位（すなわち、後述するセッション）に応じて表示
部の表示が書き換えられるため、検知部による検知がある毎に表示を書き換える場合に比
べ、書き換えの回数を少なくすることができる。
【０００６】
本発明に係る表示装置は、前記表示制御部が、前記記憶部に記憶された軌跡データが表
す軌跡の表示を前記軌跡データ単位で制御する構成であってもよい。また、本発明に係る
表示装置は、前記データ生成部が、前記軌跡データをあらかじめ決められた基準に基づい
たグループに分類して前記記憶部に記憶させ、前記表示制御部が、前記記憶部に記憶され
た軌跡データが表す軌跡の表示を前記グループ単位で制御する構成であってもよい。これ
らの構成によれば、軌跡の一部を表示させることができる。
本発明に係る表示装置は、前記表示制御部が、前記データ生成部により生成された軌跡
データが所定の数又は所定のデータ量に達する毎に前記表示部による表示を書き換える構
成であってもよい。この構成によれば、書き換えの回数をより少なくすることができる。
【０００７】
本発明に係るプログラムは、コンピューターに、あらかじめ決められた下地画像を表す
画像データを記憶部から読み出して、前記下地画像を表示部に表示させる第１の機能と、
前記表示部の前記下地画像が表示される領域のうちの検知部により指示が検知された位置
を特定する第２の機能と、前記第２の機能により特定された位置の軌跡を表す軌跡データ
であって、前記検知の開始から終了までを単位とする軌跡データを生成し、生成した前記
軌跡データを前記画像データと関連付けて前記記憶部に記憶させる第３の機能と、前記下
地画像と前記記憶部に記憶された軌跡データが表す軌跡とを重ねて表示させる第４の機能
とを実現させる構成を有する。かかるプログラムは、本発明に係る表示装置と同様の作用
効果を奏する。
【図面の簡単な説明】
【０００８】
【図１】表示装置の外観を示す図
【図２】表示装置のハードウェア構成を示すブロック図
【図３】マイクロカプセル型の電気泳動素子による記憶性表示体を示す図
【図４】制御部が実現する機能を示す機能ブロック図
【図５】制御部が実行する処理を示すフローチャート
【図６】記憶部に記憶される軌跡データのデータ構造を示す図
【図７】軌跡データとその表示態様を示す図
【図８】表示装置が実現する表示を示す図
【図９】制御部の変形例を示す図
【発明を実施するための形態】
【０００９】
［実施形態］
図１は、本発明の一実施形態である記憶性表示装置の外観を示す図である。本実施形態
の表示装置１０は、同図に示すように、表示部１３と複数の操作子１６１とを備える。表
示部１３は、画像を表示する表示領域を有する。操作子１６１は、使用者が押下等の選択
操作を行うためのものである。操作子１６１は、典型的にはボタン状であるが、その他の
形状であることを妨げない。
【００１０】
表示装置１０は、指示具２０とともに用いられる。指示具２０は、例えばペン様の器具
であり、使用者が手に持ちながら表示部１３の表示領域を指示できる構造を有する。表示
装置１０は、この指示具２０により指示された指示位置を特定できるように構成されてい
る。使用者は、指示具２０を用いて直線や曲線を描き、文字、記号、図形などを書き込む
動作を行う。
【００１１】
図２は、表示装置１０のハードウェア構成を示すブロック図である。表示装置１０は、
上述した表示部１３に加え、制御部１１と、駆動部１２と、検知部１４と、記憶部１５と
、操作部１６とを備える。制御部１１は、ＣＰＵ（Central Processing Unit）等の演算
処理装置やメモリーを備え、あらかじめ記憶されたプログラムを実行することにより表示
装置１０の動作を制御する。駆動部１２は、表示部１３に電圧を印加するための駆動回路
や、表示部１３に表示される画像を表す画像データを記憶する画像メモリーを備え、制御
部１１からの指示に応じて表示部１３に画像を表示させる。
【００１２】
検知部１４は、表示部１３の表示領域について使用者により指示された指示位置を検知
し、その検知結果を制御部１１に供給する。検知部１４は、例えば、いわゆるタッチスク
リーンにより表示部１３の表示領域表面における接触（あるいは物体の接近）を検知する
ものである。なお、検知部１４は、指示具２０が電磁波（光を含む。）を放射する構成で
ある場合には、電磁波を検知することにより指示位置を検知するものであってもよい。
【００１３】
記憶部１５は、画像データを記憶するメモリーを備える。記憶部１５は、いわゆるメモ
リーカードのように、表示装置１０に対して着脱可能な構成であってもよい。本実施形態
において、記憶部１５が記憶する画像データには、閲覧用の文書を表す文書画像データと
、書き込み用の白紙を表す下地画像データとがある。これらの画像データは、本実施形態
においてはＰＤＦ（Portable Document Format）データであるとする。また、記憶部１５
は、文書画像データ及び下地画像データに加え、後述する軌跡データを記憶可能な記憶領
域を有する。制御部１１は、これらの画像データを読み出して取得し、表示部１３の表示
に反映させる。
【００１４】
下地画像データは、使用者が書き込みをするために用意された画像データである。下地
画像データは、白紙のように、画像が何も描画されていない状態を表す。説明の便宜上、
かかる白紙の状態の画像のことを、以下においては「下地画像」という。
なお、下地画像データは、所定のページ分の下地画像を含む。下地画像のページ数は、
特に限定されないが、使用態様などに応じて十分な量が確保されることが望ましい。
【００１５】
操作部１６は、上述した複数の操作子１６１を備え、使用者の操作を表す操作情報を制
御部１１に供給する。なお、使用者による操作には、ページめくり（ページを進めたり、
あるいは戻したりすること）の操作や、使用者の切り替えの操作が含まれる。使用者の切
り替えは、ある使用者が書き込んだ情報と別の使用者が書き込んだ情報とを区別する必要
がある場合に行われる操作である。なお、操作子１６１は、図１の記載より多くてもよく
、例えば、文字や数字を入力できる構成であってもよい。
【００１６】
表示部１３は、記憶性表示体により画像を表示する。ここにおいて、記憶性とは、電圧
が印加された場合にその電圧に応じた階調を呈するとともに、電圧の印加後であって電圧
が印加されない状態においても表示した階調を維持しようとする表示体の性質をいうもの
であって、双安定性又は不揮発性ともいう。記憶性表示体としては、例えば、電気泳動素
子やコレステリック液晶による表示体を用いることができる。
【００１７】
図３は、記憶性表示体の一例であり、マイクロカプセル型の電気泳動素子による表示体
を示す図である。同図に示す記憶性表示体は、共通電極１３１と、複数のマイクロカプセ
ルが封入された表示層１３２と、ＴＦＴバックプレーン１３３とを備えるアクティブマト
リックス型の表示体である。共通電極１３１は、例えば、ＩＴＯ（Indium Tin Oxide）に
より形成される透明の電極である。マイクロカプセルは、ある極性（プラス又はマイナス
の一方）に帯電された黒色の微粒子と、黒色の微粒子と逆の極性（プラス又はマイナスの
他方）に帯電された白色の微粒子とを封入するとともに、絶縁性を有する分散媒を充填し
た球状の粒子であり、印加された電圧に応じて微粒子を移動させ、当該電圧に応じた階調
を呈する。ＴＦＴバックプレーン１３３は、ガラス基板上にＴＦＴ（Thin Film Transist
or）により構成されたスイッチング素子を走査線とデータ線の交差に対応して備え、各々
の交差部分が画素として機能する。なお、本実施形態の表示部１３は、文字や図形を表示
できる程度の画素数を少なくとも有する。
【００１８】
図４は、制御部１１が実現する機能を示す機能ブロック図である。制御部１１は、プロ
グラムを実行することにより、表示制御部１１１、位置特定部１１２、データ生成部１１
３及び操作特定部１１４に相当する機能を実現する。表示制御部１１１は、駆動部１２の
駆動を制御し、表示部１３に画像を表示させる機能を有する。表示制御部１１１は、記憶
部１５から画像データを読み出してレンダリング等の画像処理を実行し、駆動部１２に画
像データが表す画像を表示させるよう指示を与える。位置特定部１１２は、検知部１４に
よる検知結果に基づき、表示部１３の表示領域のうちの使用者が指示具２０により指示し
た位置（以下、「指示位置」という。）を特定する機能を有する。データ生成部１１３は
、位置特定部１１２により特定された指示位置に基づき、指示具２０による軌跡を表す軌
跡データを生成し、これを下地画像データと関連付けて記憶部１５に記憶させる機能を有
する。操作特定部１１４は、操作情報に基づいて使用者の操作を特定する機能を有する。
操作特定部１１４は、ページめくりの操作に基づいて表示対象のページを特定するととも
に、使用者の切り替えの操作に基づいて使用者を特定する。
【００１９】
本実施形態の表示装置１０の構成は、以上のとおりである。この構成のもと、表示装置
１０は、使用者の操作に応じて画像を表示する。本実施形態の表示装置１０は、画像を表
示する場合の動作モードとして、文書画像データが表す文書を表示する「閲覧モード」と
、使用者が書き込んだ手書きの画像を表示する「手書きモード」とを有する。なお、動作
モードの切り替えは、操作子１６１による操作によって行われる。
【００２０】
閲覧モードにおいて、表示装置１０は、画像の表示を行うが、使用者による書き込みは
受け付けない。すなわち、閲覧モードにおける表示装置１０は、文書画像データが表す文
書を表示し、使用者の操作に応じてページの遷移を行うのみである。
一方、手書きモードにおいて、表示装置１０は、白紙の下地画像を表示し、使用者によ
る手書きの指示を受け付ける。このとき、表示装置１０は、使用者により指示された指示
位置を特定し、手書きの軌跡を表示部１３に表示させる。
【００２１】
図５は、制御部１１が手書きモードにおいて実行する処理を示すフローチャートである
。手書きモードにおいて、制御部１１は、まず、記憶部１５から下地画像データを読み出
し、下地画像を表示部１３に表示させる指示を駆動部１２に与える（ステップＳ１）。こ
れにより、表示部１３には、下地画像、すなわち白紙の画像が表示される。なお、表示部
１３は、記憶性表示体により画像を表示するものであるため、駆動部１２により１回電圧
を印加されれば、その後は電圧が印加されない状態であっても表示状態を維持し続ける。
【００２２】
下地画像を表示させたら、制御部１１は、検知部１４からの検知結果に基づき、表示部
１３の表示領域が指示されたか否かを判断する（ステップＳ２）。制御部１１は、検知部
１４による検知を認識すると、指示位置の軌跡を特定する（ステップＳ３）。ここでいう
軌跡は、検知部１４が検知を開始した指示位置を始点とし、検知部１４が検知を終了した
指示位置を終点とするものであり、検知部１４による検知が連続的である場合には、１本
の線として認識されるものである。つまり、本実施形態の軌跡（の各々）は、使用者が一
筆（ひとふで）で手書きしてなる線状の画像であり、その長さは使用者の指示態様に応じ
て決まり、一定ではない。
【００２３】
制御部１１は、軌跡を特定したら、これに基づいて軌跡データを生成し（ステップＳ４
）、生成した軌跡データを下地画像データと関連付けて記憶部１５に記憶させる（ステッ
プＳ５）。軌跡データは、例えばベクターデータであり、下地画像データが表す下地画像
の座標と関連付けられる。すなわち、軌跡データは、軌跡の始点、終点及び属性（曲がり
方など）を表す。なお、軌跡データが表す属性には、線の太さや階調を含んでもよい。
【００２４】
次に、制御部１１は、軌跡を書き込む契機となる所定の条件（以下、「書込条件」とい
う。）が満たされているか否かを判断する（ステップＳ６）。書込条件は、例えば、直近
に軌跡を書き込んでからの時間や、直近に軌跡を書き込んでからの軌跡データの個数（後
述するセッションの数）に基づいて定められる。書込条件は、駆動部１２による駆動の回
数に影響を与える。例えば、軌跡データが生成される毎に軌跡を書き込む書込条件とした
場合は、軌跡データが５回生成される毎に軌跡を書き込む書込条件とした場合に比べ、駆
動部１２による駆動回数が５倍になる。一般に、記憶性表示装置の書き換え時間は比較的
長い傾向があるため、一筆毎に書き込みが行われるよりも少ない回数で書き込みが行われ
る方が好ましい場合が多いといえる。
【００２５】
書込条件を満たす場合、制御部１１は、表示部１３が表示する画像を書き換える指示を
駆動部１２に与える（ステップＳ７）。このとき、制御部１１は、下地画像と記憶部１５
に記憶された軌跡データが表す軌跡とを重ね合わせた画像を表示させる指示を駆動部１２
に与える。一方、書込条件を満たさない場合には、制御部１１は、書込条件が満たされる
までステップＳ２以降の処理を繰り返す。
【００２６】
以上の処理により、表示部１３の表示領域には、書込条件が満たされる毎に、使用者に
よる手書きの軌跡が追記される。また、表示装置１０には複数ページ分の下地画像データ
が記憶されているため、使用者は、必要に応じてページめくりを行い、新たな白紙のペー
ジに追記を行うことも可能である。
【００２７】
図６は、本実施形態において記憶部１５に記憶される軌跡データのデータ構造を示す図
である。同図に示すように、軌跡データの実体（Data）は、使用者を識別する識別情報（
UserID）、下地画像データの所在（FilePath）、ページ（Page）及びセッション（Sessio
n）を示す各データと関連付けて記憶される。ここにおいて、セッションとは、上述した
一筆の単位をいうものである。
【００２８】
図７は、軌跡データとその表示態様を例示する図である。同図に示す例は、ある使用者
（User1）と別の使用者（User2）の２名が同じ下地画像に手書きを行った場合を例示する
ものである。この例において、「User1」は、３回のセッション（Session1〜Session2）
によりアルファベットの“Ａ”を書き込んでいる。また、「User2」は、２回のセッショ
ン（Session1〜Session2）により、「User1」が書き込んだ“Ａ”の右にアルファベット
の“Ｂ”を書き込み、さらに１回のセッション（Session3）により“Ｂ”の右にアルファ
ベットの“Ｃ”を書き込んでいる。そうすると、「User1」が書き終えたときには、表示
部１３には“Ａ”のみが表示され、さらに「User2」が書き終えると、表示部１３には“
ＡＢＣ”と表示される。
【００２９】
本実施形態においては、軌跡データがかかるデータ構造を有することにより、書き込み
の取り消し（アンドゥ）、使用者毎の軌跡の表示などが可能である。
図８は、本実施形態の表示装置１０が実現する表示を図７を用いて説明する図である。
図８（ａ）は、書き込みの取り消しを例示する図であり、“Ａ”を２画目まで表示してか
ら１画目までの表示に戻す例の図である。図８（ｂ）は、「User1」が書き込んだ軌跡の
みを表示する場合と「User2」が書き込んだ軌跡のみを表示する場合とを例示する図であ
る。なお、軌跡を使用者毎に区別する場合には、軌跡の表示態様（線の太さや階調など）
を使用者毎に異ならせてもよい。
【００３０】
また、本実施形態のデータ構造によれば、軌跡を時系列に従って表示させることも可能
である。例えば、表示装置１０は、表示部１３の表示を一旦白紙画像に戻した後に、書き
込まれたセッション順に軌跡を順次表示させることができる。このようにすれば、文字等
が追記された順番を使用者に認識させることが可能である。
【００３１】
なお、下地画像データと軌跡データとの関連付けは、例えば、下地画像データと各々の
軌跡データとが共通の座標系（例えば、下地画像の左上端部を原点とする直交座標系）を
有するように構成することで実現される。また、下地画像データと軌跡データとの関連付
けは、各々の軌跡データに原点を規定しなくても、例えば、下地画像の原点を基準とし、
軌跡の始点の原点からのオフセット量を記憶部１５に記述することでも実現され得る。
【００３２】
［変形例］
本発明は、上述した実施形態と異なる形態での実施が可能である。以下に示す変形例は
、本発明に適用可能な変形の一例である。上述した実施形態及び以下の変形例は、必要に
応じて、これらを組み合わせて適用してもよい。
【００３３】
図９は、本発明に係る制御部の変形例を示す図である。本例に係る制御部のことを、以
下においては「制御部１１ａ」と表記する。制御部１１ａは、上述した実施形態の制御部
１１の構成（図４参照）に加え、重畳画像生成部１１５を備える。重畳画像生成部１１５
は、軌跡データが表す軌跡と下地画像とを重ね合わせた画像（以下、「重畳画像」という
。）を表す重畳画像データを生成し、これを外部装置や着脱可能な記憶媒体などに出力す
る機能を有する。なお、重畳画像データは、ＰＤＦデータのような汎用的な形式のデータ
であると望ましい。このような重畳画像データを生成することにより、軌跡データを認識
し得ない他の表示装置においても手書きの画像を表示させることが可能となる。
【００３４】
本発明において、下地画像は、白紙に限定されない。例えば、下地画像は、方眼紙のよ
うに升目が描画された画像であってもよいし、いわゆるヘッダーやフッターに相当する所
定の文字や画像が描画された画像であってもよい。すなわち、本発明における下地画像は
、あらかじめ決められた画像を表すものであれば足り、その具体的な内容は問われないも
のである。
【００３５】
上述した実施形態は、本発明におけるグループの単位を使用者とした例である。しかし
、本発明におけるグループは、使用者に限らず、あらかじめ決められた基準に基づいて分
類されれば足りるものである。例えば、表示される軌跡（線）の太さや階調を異ならせる
ことができる場合であれば、これらを基準とし、太さや階調が同じ軌跡どうしをグループ
化するなどしてもよい。また、軌跡データを所定のセッション数毎にグループ化すること
も可能である。
【００３６】
また、上述したデータ生成部１１３は、軌跡データをセッション毎に生成するが、所定
のタイミングで複数の軌跡データを統合して１つの軌跡データにまとめてもよい。かかる
統合の単位は、使用者毎やページ毎であってもよいし、上述したグループの単位と同じも
のを用いてもよい。
【００３７】
本発明の書込条件は、軌跡データの数量と相関を有することが望ましい。書込条件は、
上述した実施形態のように軌跡データの個数に基づいて定められるほか、例えば、軌跡デ
ータのデータ量の累積値に基づいて定められてもよい。この場合、本発明の表示装置は、
生成又は記憶された軌跡データのデータ量が所定のバイト数に達する毎に書き換えを行う
。
また、本発明の書込条件は、軌跡データが表す軌跡の長さと相関を有し、例えば、生成
又は記憶された軌跡データにより表される軌跡の表示上の長さの和が所定の数値に達する
毎に書き換えが行われるものであってもよい。
【００３８】
本発明に係る表示装置は、動作モードの切り替えを有しない手書き専用の表示装置であ
ってもよい。
また、本発明における下地画像データ（及び重畳画像データ）は、ＰＤＦデータに限ら
ず、その他の形式の画像データであってもよい。
さらに、下地画像データと軌跡データとは、これらが共通の記憶部に記憶されていなく
ともよい。例えば、下地画像データを記憶するメモリーと軌跡データを記憶するメモリー
とが物理的に別異であってもよい。かかる場合においても、図６の「FilePath」のような
双方のデータを関連付ける情報が記述されていれば、本発明を実施することは可能である
。
【００３９】
本発明は、コンピューターに上述した制御部１１の機能を実現させるためのプログラム
としても提供され得る。かかるプログラムは、光ディスクやフラッシュメモリー等の記録
媒体に記録された形態や、インターネット等のネットワークを介して表示装置にダウンロ
ードされる形態で提供されてもよい。
【符号の説明】
【００４０】
１０…表示装置、１１…制御部、１１１…表示制御部、１１２…位置特定部、１１３…デ
ータ生成部、１１４…操作特定部、１１５…重畳画像生成部、１２…駆動部、１３…表示
部、１４…検知部、１５…記憶部、１６…操作部、２０…指示具
【図１】
2010191312.tif 000003
【図２】
2010191312.tif 000004
【図３】
2010191312.tif 000005
【図４】
2010191312.tif 000006
【図５】
2010191312.tif 000007
【図６】
2010191312.tif 000008
【図７】
2010191312.tif 000009
【図８】
2010191312.tif 000010
【図９】
2010191312.tif 000011